(57)【要約】【課題】  作業員の被ばくを可能な限り下げ、かつ埋設後に生活圏への影響を少なくするように、廃棄体の埋設配置決定を支援するための放射性廃棄物埋設支援システムを提供することである。【解決手段】  放射性廃棄物処分場に受け入れられる埋設廃棄物バッチに属する廃棄体の埋設順序を調整するのに必要な情報は、入力装置２２から入力される。入力処理手段２６は、入力装置２２から入力された入力情報を記憶装置２４に記憶し、解析手段２７は、記憶装置２４に記憶された入力情報に基づいて、埋設対象となる対象埋設廃棄物バッチに属する個々の廃棄体を埋設候補位置に設置した場合の作業員被ばく量および生活圏への漏洩に伴う安全評価被ばくシナリオ毎の被ばく量を算出し記憶装置２４に記憶する。出力処理手段２８は、廃棄体の埋設候補位置と解析手段２７で算出された算出量とを両者の関係が明示される形式で出力装置２５に出力する。【選択図】  図１
2005249541.tif 000002
【特許請求の範囲】
【請求項１】
放射性廃棄物処分場に受け入れられる埋設廃棄物バッチに属する廃棄体の埋設順序を調整するのに必要な情報を入力する入力装置と、
前記入力装置から入力された入力情報を記憶装置に記憶する入力処理手段と、
前記記憶装置に記憶された入力情報に基づいて埋設対象となる対象埋設廃棄物バッチに属する個々の廃棄体を埋設候補位置に設置した場合の作業員被ばく量および生活圏への漏洩に伴う安全評価被ばくシナリオ毎の被ばく量を算出し前記記憶装置に記憶する解析手段と、
前記廃棄体の埋設候補位置と前記解析手段で算出された算出量とを両者の関係が明示される形式で出力装置に出力する出力処理手段とを備えたことを特徴とする放射性廃棄物埋設支援システム。
【請求項２】
前記入力装置から入力される入力情報は、少なくとも、放射能量解析のためのパラメータと、核種移行解析のためのパラメータと、処分場仕様と、処分場周辺の地質構造・水理パラメータと、受け入れ廃棄体に関する情報と、処分場内での廃棄体埋設候補位置とを含み、
前記解析手段は、前記入力情報に基づいて、受け入れ廃棄体に含まれる核種の種類、それぞれの核種についての重量、放射線種類、それぞれの放射線種類についての放射能量を算出し前記記憶装置に記憶する核種解析手段と、
前記入力情報および前記核種解析手段で算出された放射能量に基づいて埋設対象となる対象埋設廃棄物バッチに属する個々の廃棄体を埋設候補位置に設置した場合の作業員被ばく量を算出し前記記憶装置に記憶する作業員被ばく解析手段と、
前記入力情報および前記核種解析手段で算出された放射能量に基づいて埋設対象となる対象埋設廃棄物バッチに属する個々の廃棄体を埋設候補位置に設置した場合の生活圏への漏洩に伴う安全評価被ばくシナリオ毎の被ばく量を算出し前記記憶装置に記憶する安全評価解析手段とを備えたことを特徴とする請求項１記載の放射性廃棄物埋設支援システム。
【請求項３】
前記解析手段は、前記入力装置からの意思決定者の要求に応じ、前記作業員被ばく解析手段で算出された作業員被ばく量および前記安全評価解析手段で算出された生活圏への漏洩に伴う安全評価被ばくシナリオ毎の被ばく量に基づいて、意思決定者が設定する目的関数に従って個々の廃棄体を最適な埋設位置に割り当て最適な埋設順序を算出する最適化解析手段を備えたことを特徴とする請求項２記載の放射性廃棄物埋設支援システム。
【請求項４】
前記安全評価解析手段は、前記入力情報および前記核種解析手段で算出された放射能量に基づいて、埋設対象となる対象埋設廃棄物バッチに属する個々の廃棄体を埋設候補位置に設置した場合の生活圏への漏洩に伴う安全評価被ばくシナリオ毎の被ばく量を算出するとともに、埋設候補位置と前記廃棄体の埋設後の時間経過に伴う安全評価被ばく量の変化を算出することを特徴とする請求項２または３記載の放射性廃棄物埋設支援システム。
【請求項５】
前記出力処理手段は、少なくとも埋設候補位置と作業員の被ばく量との関係、前記埋設候補位置と前記廃棄体の埋設後の時間経過に伴う安全評価被ばく量の変化の関係が明示される形式で出力装置に出力することを特徴とする請求項４記載の放射性廃棄物埋設支援システム。
【請求項６】
前記解析手段は、前記入力装置からの意思決定者の要求に応じ、複数の埋設候補位置と対象埋設廃棄物バッチに含まれる複数の受け入れ廃棄体との可能な組み合わせを発生させて解析を実行することを特徴とする請求項１記載の放射性廃棄物埋設支援システム。
【請求項７】
前記解析手段は、前記入力装置からの意思決定者の要求に応じ、複数の埋設候補位置と対象埋設廃棄物バッチ以外で今後予定されている未埋設バッチを含む複数の埋設廃棄物バッチに含まれる複数の受け入れ廃棄体との可能な組み合わせを発生させて解析を実行することを特徴とする請求項１記載の放射性廃棄物埋設支援システム。
【発明の詳細な説明】
【技術分野】
【０００１】
本発明は、放射性廃棄物の埋設廃棄体の受け入れ順序決定や廃棄物処分場における廃棄体の埋設配置決定を支援するための放射性廃棄物埋設支援システムに関する。
【背景技術】
【０００２】
原子力発電所などから廃棄される放射能を持つ廃棄物は、その放射能レベルに応じ低レベル廃棄物および高レベル廃棄物と区分され、それぞれ固化などの適切な処理を施された廃棄体として、適切な深度の地中に設けられた適切な構造の処分施設に埋設される。埋設が行われる処分施設は、発電所サイト内もしくは専用の処分場に集中的に建設される。
【０００３】
専用の処分場に放射性廃棄物を埋設するようにした施設としては、地表から所望の深部まで地下坑道を掘りトンネル最深平坦部に収容体を設け、その収容体に放射性有機物を収納するようにしたものがある（例えば、特許文献１参照）。この特許文献１のものでは、収容体にＣ−１４含有放射性有機物を放射線励起触媒と接触させてその放射性有機物を分解して放射性無機物を生成し、その放射性無機物を地下に存在するまたは存在させたＣａ含有物質と結合またはＣａ含有物質に吸収させて固化するようにしている。
【０００４】
また、トンネル型またはサイロ型の処分施設に放射性廃棄物の廃棄体を積層して埋設するようにしたものがある。図３は、そのような処分場における処分施設の概念図である。ここでは、低レベル廃棄物を処分施設に埋設する場合を示している。処分場１１の敷地内に複数個の処分施設１２が設けられる。処分場１１の敷地の周辺には、例えば、河川１３があり、その河川１３の水や地下水１４は湖沼１５に流れ込んでいる。
【０００５】
図４は図３の処分施設１２（Ａ部）の垂直断面図であり、トンネル型の場合を示している。処分施設１２は、廃棄体１６を収納した埋設施設１７を多段積みし、埋設施設１７の周囲を低拡散層１８および低透水層１９で包囲して構成される。
【０００６】
このような処分施設１２が建設される範囲は数１００m四方に及ぶため、一つの処分施設１２群がおかれている地下環境は場所により変化している。そのため、土壌の性質、岩盤の性質、地下水１４の流れ方などが異なり、廃棄体埋設位置により漏洩放射能の振る舞いが異なってきて、例えば湖沼１５に流出する放射性物質が原因となる生活圏での被ばく量も異なるものとなる。
【０００７】
また、処分施設の操業期間は、施設の規模や廃棄物の性質などにより変化するが通常は数年を費やす。その間、全国の発生元から或るまとまった量（バッチ）を単位として、放射性廃棄物が処分場に受け入れられ順次埋設工事が進められる。放射性廃棄物の廃棄体に含まれる放射能は、廃棄体の材質、発生元、冷却期間などに依存して異なることが普通である。従って、受け入れられた廃棄体は、バッチ毎に特性が異なり一定ではない。
【０００８】
処分施設の操業にあたっては作業員の被ばく管理が重要であり、合理的な範囲でこれを極力低下させなければならない。この作業員の被ばく量は処分中の対象廃棄体の放射能強度に依存すると同時に、それまでに設置された廃棄体の配置の放射能強度にも依存する。従って、廃棄体の埋設順序を考慮することは作業員被ばく量低減の一つの方策となり得る。
【０００９】
また、生活圏における被ばく量管理も重要である。長い期間に亘り安全基準を満たすのはもちろんで、施設の設計に当たってはその仕様を安全評価により確認する。一方で、できうる限りこれを低い値にする努力が必要である。受け入れる廃棄体の仕様が広範囲に及ぶことにより放射能の漏洩率や漏洩量、地中移行量、放射能半減期が異なり被ばくシナリオ毎の被ばく量が異なるので、なるべく生活圏に与える影響が少なくするように広範囲な処分施設内での廃棄体埋設位置を選択することが望ましい。
【特許文献１】特開２００３−１７２７９７号公報（図１、図２）
【発明の開示】
【発明が解決しようとする課題】
【００１０】
しかし、廃棄物処分施設が受け入れる廃棄体については、これらを埋設する日程の管理者が、これらを発生順に埋設位置番号順に並べているだけである。従って、必ずしも作業員の被ばくや生活圏への影響が最小で適切とならない可能性があった。
【００１１】
そこで、あらかじめ廃棄物の解析を行い、すべての発生予想廃棄物に対して埋設位置を予定することも考えられるが、相互に関連性のない複数の発電所の運転変更や再処理施設の工程変更などのため、受け入れ廃棄物の詳細仕様は常に変動している。このため、それに伴う埋設位置の変更をその都度行わなければならない。この埋設位置の変更は、膨大かつ詳細な解析が必要であり、日程管理上作業量が多大となるおそれがあった。従って、現状では、操業工程の余裕や安全評価の余裕により埋設位置を勘案することとしている。
【００１２】
このように、廃棄物処分施設を運営するに当たって、受け入れ廃棄体の埋設順序は、作業員被ばくと生活圏での被ばくを合理的に低くすることを踏まえて意思決定されることは難しく、これらを総合的に迅速評価できる何らかの方策が求められている。
【００１３】
本発明の目的は、作業員の被ばくを可能な限り下げ、かつ埋設後に生活圏への影響を少なくするように、廃棄体の埋設配置決定を支援するための放射性廃棄物埋設支援システムを提供することである。
【課題を解決するための手段】
【００１４】
本発明の放射性廃棄物埋設支援システムは、放射性廃棄物処分場に受け入れられる埋設廃棄物バッチに属する廃棄体の埋設順序を調整するのに必要な情報を入力する入力装置と、入力装置から入力された入力情報を記憶装置に記憶する入力処理手段と、記憶装置に記憶された入力情報に基づいて埋設対象となる対象埋設廃棄物バッチに属する個々の廃棄体を埋設候補位置に設置した場合の作業員被ばく量および生活圏への漏洩に伴う安全評価被ばくシナリオ毎の被ばく量を算出し記憶装置に記憶する解析手段と、廃棄体の埋設候補位置と解析手段で算出された算出量とを両者の関係が明示される形式で出力装置に出力する出力処理手段とを備えたことを特徴とする。
【００１５】
入力装置から入力される入力情報は、少なくとも、放射能量解析のためのパラメータと、核種移行解析のためのパラメータと、処分場仕様と、処分場周辺の地質構造・水理パラメータと、受け入れ廃棄体に関する情報と、処分場内での廃棄体埋設候補位置とを含む。
【００１６】
また、解析手段は、入力情報に基づいて、受け入れ廃棄体に含まれる核種の種類、それぞれの核種についての重量、放射線種類、それぞれの放射線種類についての放射能量を算出し記憶装置に記憶する核種解析手段と、入力情報および核種解析手段で算出された放射能量に基づいて埋設対象となる対象埋設廃棄物バッチに属する個々の廃棄体を埋設候補位置に設置した場合の作業員被ばく量を算出し記憶装置に記憶する作業員被ばく解析手段と、入力情報および核種解析手段で算出された放射能量に基づいて埋設対象となる対象埋設廃棄物バッチに属する個々の廃棄体を埋設候補位置に設置した場合の生活圏への漏洩に伴う安全評価被ばくシナリオ毎の被ばく量を算出し記憶装置に記憶する安全評価解析手段とを備え、必要に応じて、入力装置からの意思決定者の要求に応じ、作業員被ばく解析手段で算出された作業員被ばく量および安全評価解析手段で算出された生活圏への漏洩に伴う安全評価被ばくシナリオ毎の被ばく量に基づいて、意思決定者が設定する目的関数に従って個々の廃棄体を最適な埋設位置に割り当て最適な埋設順序を算出する最適化解析手段を備える。
【発明の効果】
【００１７】
本発明によれば、放射性廃棄物処分場に受け入れられる埋設廃棄物バッチに属する廃棄体の埋設順序を調整するのに必要な情報を入力して、作業員被ばく量と生活圏への漏洩に伴う安全評価被ばくシナリオ毎の被ばく量とを算出し、廃棄体の埋設候補位置との関係で示すことができるので、廃棄体の処分順序を調整する意思決定者の決定プロセスを省力化でき、効率的に支援することが可能になる。また、当該対象受け入れ廃棄体バッチだけではなく、近い将来に受け入れ予定の複数廃棄体バッチを含めて最適化が可能であるため、その結果に応じて、受け入れ廃棄体の順序を調整することも可能になる。さらに、適切な目的関数を定めた場合には、自動的に廃棄体の埋設順序の最適な組み合わせを得ることができるので、廃棄体の埋設順序の意思決定の効率化が図れ、特別な訓練や経験を必要とせずに系統的な意思決定が可能となる。
【発明を実施するための最良の形態】
【００１８】
図１は本発明の第１の実施の形態に係わる放射性廃棄物埋設支援システムのブロック構成図である。放射性廃棄物埋設支援システム２１は計算機システムで構成され、入力装置２２と、演算制御装置２３と、記憶装置２４と、出力装置２５とから構成される。入力装置２２から演算制御装置２３に、放射性廃棄物処分場に受け入れられる埋設廃棄物バッチに属する廃棄体の埋設順序を調整するのに必要な情報が入力される。演算制御装置２３では、入力装置２２から入力情報が入力されると、入力処理手段２６により、入力された入力情報を入力処理し記憶装置２４に記憶する。
【００１９】
解析手段２７は、記憶装置２４に記憶された入力情報に基づいて、埋設対象となる対象埋設廃棄物バッチに属する個々の廃棄体を埋設候補位置に設置した場合の作業員被ばく量を算出するとともに、生活圏への漏洩に伴う安全評価被ばくシナリオ毎の被ばく量を算出する。そして、算出した作業員被ばく量および安全評価被ばくシナリオ毎の被ばく量を記憶装置２４に記憶する。出力処理手段２８は、記憶装置２４に記憶された作業員被ばく量および安全評価被ばくシナリオ毎の被ばく量を、廃棄体の埋設候補位置との関係が明示される形式で出力装置２５に出力する。出力装置２５は、例えばディスプレイ装置やプリンタ装置などである。
【００２０】
入力装置２２からは、少なくとも、放射能量解析のためのパラメータと、核種移行解析のためのパラメータと、処分場仕様と、処分場周辺の地質構造・水理パラメータと、受け入れ廃棄体に関する情報と、処分場内での廃棄体埋設候補位置とが入力情報として入力される。表１に入力される各種情報を示す。
【表１】
2005249541.tif 000003
【００２１】
表１において、放射能量解析のためのパラメータは、核種毎半減期、核種毎放射線種類・エネルギー・強度、核分裂断面積、吸収断面積、核反応断面積であり、いわゆる核データに相当する。
【００２２】
受け入れ廃棄体に関する情報は、材料・組成、発生源、照射時間、照射環境、汚染環境、含有核種であり、廃棄体もしくは廃棄物の発生元のデータから入手して作成が可能なものである。
【００２３】
処分場仕様は、処分場内の施設レイアウト、処分施設の寸法、廃棄体の埋設本数、施設内の廃棄体レイアウト、緩衝材の寸法、低拡散層の寸法であり、施設の運営者の設計データである。
【００２４】
廃棄体バッチ受け入れ計画は、今後予定されているバッチの時期、今後予定されているバッチの大きさであり、廃棄物もしくは廃棄体の発生元のデータから入手して作成が可能なものである。
【００２５】
核種移行解析のためのパラメータは、透水係数、拡散・分散係数、乾燥密度、空隙率、分配係数であり、ある核種型の核種に移行することを解析する際に必要となるパラメータである。
【００２６】
地質構造・水理パラメータは、処分場周辺の地形、地質構造・水理特性、断層の位置と水理・物質移行特性、地下水位であり、処分場建設のための調査検討に際して、地質の調査を行い測定あるいは仮定されるものである。
【００２７】
処分場内での廃棄体埋設候補位置は、当該バッチに割り当てられる施設内位置、既設廃棄体位置、今後受け入れ予定のバッチに割り当てられる施設内位置であり、施設運営者が決めるべきものである。最適化される前は、ある配置に仮定される。
【００２８】
被ばく評価パラメータは、線量換算係数、移行係数、濃縮係数であり、被ばくシナリオに従って、ＩＡＥＡ（International Atomic Energy Agency）が提唱するものである。
【００２９】
目的関数に関するパラメータは、多次元多項式パラメータであり、意思決定者が任意に仮定するものである。
【００３０】
解析手段２７は、入力装置２２から入力され記憶装置２４に記憶された入力情報に基づいて、対象埋設廃棄物バッチに属する個々の廃棄体を埋設候補位置に設置した場合の作業員被ばく量と、生活圏への漏洩に伴う安全評価被ばくシナリオ毎の被ばく量とを自動的に算出するためのものであり、コンピュータプログラムとして構成される。解析手段２７は、核種解析手段２９と、作業員被ばく解析手段３０と、安全評価解析手段３１とを備えている。
【００３１】
核種解析手段２９は、受け入れ廃棄体に含まれる核種の種類、それぞれの核種についての重量、放射線種類、それぞれの放射線種類についての放射能量を算出する。すなわち、廃棄体の放射能に関する解析を行う手段であり、入力された放射能量解析のためのパラメータを用い受け入れ廃棄体に関する情報とともに、廃棄体毎の放射能源の確定を行う。あらかじめ廃棄体に含まれる核種がわかっている場合にはそれを以降の解析に用いることができるが、これが不明な場合にも、そのほかの詳細な情報が入力されているならばコンピュータプログラムの一部として備えている核種生成消滅計算機能が、原子炉で照射されたり、その後冷却されたり、汚染されたりする過程を想定して最も確からしい放射能を確定することができる。核種生成消滅計算は、例えばORIGENコード（Croff, A. G.:ORIGEN2- A versatile computer code for calculating the nuclide compositions and characteristics of nuclear matrials, Nucl. Thecnol., 62, 335 (１983).）などよく知られている公開コードが利用できる
作業員被ばく解析手段３０は、埋設対象となる対象埋設廃棄物バッチに属する個々の廃棄体を埋設候補位置に設置した場合の作業員被ばく量を算出する。すなわち、核種解析手段２９で確定された放射能量と、入力情報である受け入れ廃棄体に関する情報と、処分場内での廃棄体埋設候補位置とを記憶装置２４から読み込み、当該バッチの廃棄体と当該バッチの作業以前の既設の廃棄体とに関して、廃棄体中での放射線減衰計算を行い、運搬中の表面線量率、既配置の廃棄体の表面線量率を算出し、作業時間と作業者の廃棄体との位置関係を考慮して作業員が作業中に被る外部被ばく量を算出する。また、表面汚染に起因する吸引による内部被ばくを、空気中のほこりに混入する放射性核種の割合を、一般的な工事現場の空気中ほこり濃度の測定値より仮定することで計算できるので、これにより作業員が作業中に被る内部被ばく量を算出する。これらの二つの被ばくを併せて作業員の被ばく量と呼ぶことにする。
【００３２】
そして、処分場内での廃棄体埋設候補位置の違いにより個々の廃棄体から被る作業員被ばく量は異なるので、これを考慮できるように、当該バッチに割り当てられる施設内位置を、意思決定者の要請に応じ、可能な組み合わせの配置を発生させて被ばく量を計算する機能も併せ持つ。すなわち、作業員被ばく解析手段３０は、入力装置２２からの意思決定者の要求に応じ、複数の埋設候補位置と対象埋設廃棄物バッチに含まれる複数の受け入れ廃棄体との可能な組み合わせを発生させて解析を実行する。
【００３３】
さらに、入力情報である廃棄体バッチ受け入れ計画を使って当該バッチを含め、それ以降のバッチを包含した場合の可能な組み合わせを発生させて被ばく量を計算する機能も併せ持つ。すなわち、作業員被ばく解析手段３０は、入力装置２２からの意思決定者の要求に応じ、複数の埋設候補位置と対象埋設廃棄物バッチ以外で今後予定されている未埋設バッチを含む複数の埋設廃棄物バッチに含まれる複数の受け入れ廃棄体との可能な組み合わせを発生させて解析を実行する。
【００３４】
作業員被ばく解析手段３０をこのように構成することで、作業員の被ばく量を可能な限り低くするような配置計画、ならびに受け入れ計画を立案する意思決定を支援することが可能となる。
【００３５】
安全評価解析手段３１は、入力情報および核種解析手段２９で算出された放射能量に基づいて、埋設対象となる対象埋設廃棄物バッチに属する個々の廃棄体を埋設候補位置に設置した場合の生活圏への漏洩に伴う安全評価被ばくシナリオ毎の被ばく量を算出するとともに、埋設候補位置と廃棄体の埋設後の時間経過に伴う安全評価被ばく量の変化も算出する。
【００３６】
すなわち、核種解析手段２９で確定された放射能量と入力情報である処分場仕様、核種移行解析のためのパラメータ、処分場周辺の地質構造・水理パラメータを用いて、廃棄体からの漏洩放射能量を算出し、その移行挙動を移流拡散方程式を解くことで解析する。そして、最終的に、考えられる被ばくシナリオに応じて、入力情報である被ばく評価パラメータを用いて生活圏における被ばく評価すなわち安全評価を行う。また、埋設候補位置と廃棄体の埋設後の時間経過に伴う安全評価被ばく量の変化も算出する。
【００３７】
このとき、処分場内での廃棄体埋設候補位置の違いにより個々の廃棄体から被る被ばく量は異なるので、これを考慮できるように、当該バッチに割り当てられる施設内位置を、意思決定者の要請に応じ、可能な組み合わせの配置を発生させて被ばく量を計算する機能も併せ持つ。すなわち、安全評価解析手段３１は、入力装置２４からの意思決定者の要求に応じ、複数の埋設候補位置と対象埋設廃棄物バッチに含まれる複数の受け入れ廃棄体との可能な組み合わせを発生させて解析を実行する。配置の組み合わせは廃棄体数と利用可能な空き施設内位置を順次組み合わせることで容易に作成可能である。
【００３８】
さらに、入力情報である廃棄体バッチ受け入れ計画を使って当該バッチを含めそれ以降のバッチを包含した場合の可能な組み合わせを発生させて被ばく量を計算する機能も併せ持つ。すなわち、入力装置２４からの意思決定者の要求に応じ、複数の埋設候補位置と対象埋設廃棄物バッチ以外で今後予定されている未埋設バッチを含む複数の埋設廃棄物バッチに含まれる複数の受け入れ廃棄体との可能な組み合わせを発生させて解析を実行する。
【００３９】
安全評価解析手段３１をこのように構成することで、長期間におよぶ生活圏での被ばく量を可能な限り低くするような配置計画、ならびに受け入れ計画を立案する意思決定を支援することが可能となる。
【００４０】
また、出力処理手段２８は、少なくとも埋設候補位置と作業員の被ばく量との関係、埋設候補位置と廃棄体の埋設後の時間経過に伴う安全評価被ばく量の変化の関係が明示される形式で出力装置２５に出力することが可能となる。出力処理手段２８による出力装置への出力は、処分場内での廃棄体埋設候補位置と作業者の被ばく量あるいは生活圏での被ばく量との関係が明示される形式で出力される。例えば、横軸に配置パターンの番号を、縦軸に作業者の被ばく量あるいは生活圏での被ばく量を持つグラフ形式で出力される。出力をこのようにすることで、意思決定者は容易に自らが望む配置パターンを選ぶことができる。
【００４１】
第１の実施の形態によれば、放射性廃棄物処分場に受け入れられる埋設廃棄物バッチに属する廃棄体の埋設順序を調整するのに必要な情報を入力して、作業員被ばく量と生活圏への漏洩に伴う安全評価被ばくシナリオ毎の被ばく量とを算出し、廃棄体の埋設候補位置との関係で示すことができるので、廃棄体の処分順序を調整する意思決定者の決定プロセスを省力化でき、効率的に支援することが可能になる。また、当該対象受け入れ廃棄体バッチだけではなく、近い将来に受け入れ予定の複数廃棄体バッチを含めて最適化が可能であるため、その結果に応じて、受け入れ廃棄体の順序を調整することも可能になる。
【００４２】
図２は本発明の第２の実施の形態に係わる放射性廃棄物埋設支援システムのブロック構成図である。この第２の実施の形態は、図１に示した第１の実施の形態に対し、最適化解析手段３２を追加して設けたものであり、最適化解析手段３２は、入力装置２２からの意思決定者の要求に応じ、作業員被ばく解析手段２７で算出された作業員被ばく量および安全評価解析手段３１で算出された生活圏への漏洩に伴う安全評価被ばくシナリオ毎の被ばく量に基づいて、意思決定者が設定する目的関数に従って個々の廃棄体を最適な埋設位置に割り当て最適な埋設順序を算出する。これにより、出力された最適な組み合わせを廃棄体の埋設順序を調整する際の意思決定に用いればよいので、効率化が図れると同時に特別な訓練や経験を必要とせずに系統的な意思決定が可能となる。図１と同一要素には同一符号を付し重複する説明は省略する。
【００４３】
最適化解析手段３２は、あらかじめ意思決定者が決めて入力された目的関数に関するパラメータに基づき最適な廃棄体配置を解析する。目的関数は、例えば作業員被ばく量、生活圏被ばく量、作業時間、作業エネルギーの４つの項目を、一つの廃棄体配置パターンに対して算出することができるから、これらの多次元多項式で表すことにしておけば、各項目の重み係数を入力することで一意に決定できる。この目的関数の最小値を求めることは容易であるので、その最小値に近い廃棄体配置パターンを知ることができ、総合的な判断による最適な意思決定が可能になる。
【００４４】
第２の実施の形態によれば、第１の実施の形態の効果に加え、自動的に廃棄体の埋設順序の最適な組み合わせを得ることができるので、廃棄体の埋設順序の意思決定の効率化が図れ、特別な訓練や経験を必要とせずに系統的な意思決定が可能となる。
【００４５】
ここで、記憶装置２４には、入力装置２２から入力された情報、解析手段２７において算出された諸量が記憶され蓄積されるので、意思決定者の要求に応じて記憶され蓄積された情報を解析手段２７や出力装置２５に適宜受け渡すことができる。これにより、同一条件の解析を行う際には、入力を再度行う作業を省くことができ、省力化と誤入力の危険性を避けることが可能となる。また、同様に同一条件の解析を行う際には、同じ解析を重複して行う必要がなくなるため、省力化と時間短縮が図れて効率的に意思決定することが可能である。
【００４６】
すなわち、同一条件を持つ意思決定プロセスの作業においては、入力装置２２から意思決定者の要求に応じて、記憶装置２４から任意の１個以上の入力情報や解析結果情報を解析手段２７に引き渡すことができるので、同一条件を持つプロセスにおいて煩雑な入力プロセスを省略できる。従って、効率化が図れ間違いも回避できる。
【図面の簡単な説明】
【００４７】
【図１】本発明の第１の実施の形態に係わる放射性廃棄物埋設支援システムのブロック構成図。
【図２】本発明の第２の実施の形態に係わる放射性廃棄物埋設支援システムのブロック構成図。
【図３】放射性廃棄物の廃棄体を積層して埋設する処分場における処分施設の概念図。
【図４】図３の処分施設（Ａ部）の垂直断面図。
【符号の説明】
【００４８】
１１…処分場、１２…処分施設、１３…河川、１４…地下水、１５…湖沼、１６…廃棄体、１７…埋設施設、１８…低拡散層、１９…低透水層、２１…放射性廃棄物埋設支援システム、２２…入力装置、２３…演算制御装置、２４…記憶装置、２５…出力装置、２６…入力処理手段、２７…解析手段、２８…出力処理手段、２９…核種解析手段、３０…作業員被ばく解析手段、３１…安全評価解析手段、３２…最適化解析手段
【図１】
2005249541.tif 000004
【図２】
2005249541.tif 000005
【図３】
2005249541.tif 000006
【図４】
2005249541.tif 000007